(57)【特許請求の範囲】
【請求項１】
基材上に、赤外線吸収インキ層を形成し、前記赤外線吸収インキ層の表面の少なくとも一部を、赤外線透過特性を有する第１パターンインキ層と第２パターンインキ層からなる２種類のメタメリズムインキ層で隠蔽したことを特徴とする真偽判別印刷物。
【請求項２】
前記赤外線吸収インキ層が、前記メタメリズムインキ層と、可視光領域又は赤外領域で分光反射率が干渉しないことを特徴とする請求項１に記載の真偽判別印刷物。
【請求項３】
前記メタメリズムインキ層が赤外線透過特性を有することを特徴とする請求項１又は２に記載の真偽判別印刷物。
【請求項４】
前記赤外線吸収インキ層が有色又は半透明もしくは透明であることを特徴とする請求項１、２又は３のいずれかに記載の真偽判別印刷物。
【請求項５】
前記赤外線吸収インキ層の表面に占める前記赤外線吸収インキ層の印刷の面積率が４０％から６０％までであることを特徴とする請求項１、２、３又は４のいずれかに記載の真偽判別印刷物。
【発明の詳細な説明】
【技術分野】
【０００１】
本発明は、銀行券、証券等の偽造に対する真偽判別が容易な印刷物に関するものである。
【背景技術】
【０００２】
近年のスキャナ、プリンタ、カラーコピーなどのディジタル機器の発展により、貴重印刷物の精巧な複製物を容易に作製することが可能となっている。その対策の一つとして、従来から目視による識別方法としてメタメリズムを応用したメタメリックペアインキを用いる方法が多く試みられている。メタメリックペアインキを用いた貴重印刷物の目視による判別方法は、照明する光源の種類や特定波長を透過するフィルタの介在により、インキが同色に見えたり、異なった色に見えたりする特性を利用したものである。偽造防止技術を必要とする印刷物において、インキのメタメリズムによる光学特性を利用する方法は従来から行われている。
【０００３】
メタメリックペアインキは、分光フィルタを使って判別を行うものである。真偽判別する場合には、手作業で、分光フィルタを該インキ上に置き、特定波長により可視光領域で視認される色相の変化で真偽を確認するものであった。または、光源を分光エネルギー分布によるもので視認することでも真偽が確認されるものであった。
【０００４】
このように、メタメリズムの原理は、少なくとも２種類の色料が分光反射率の異なった色であっても、光源からの照射条件により等色であるか、又は光源からの照射条件により違う色であっても分光反射率の異なる光でみると等色になる現象であることは公知である。
【０００５】
その一例として、太陽光、蛍光灯、白熱電球等からの通常光下では同色に見えるが、所望のフィルタを通してみるか、又は所望のフィルタを通過させた光のもとで見ると一方が異なった色相に見えるメタメリックな性質を有する２種類の色料のそれぞれによってパターンを互いに対比観察できるように基材上に形成したことを特徴とする画像形成体がある（例えば、特許文献１参照。）。
【０００６】
また、通常光下では同色に見えるが、所定の分光エネルギー分布を有する光源下では異なった色相、明度、彩度に見えるメタメリックな色料及び／又は所定の分光エネルギー分布を有する光源下では同色に見えるが、通常光下では異なった色相・明度・彩度に見えるメタメリックな色料のそれぞれから成るパターンによりパターン群を形成した後、前記パターン群の部分に通常光を照射し、又は所定の分光エネルギー分布を有する光源からの光を照射し、又は所定の分光透過率を有するフィルタを介して観察する操作を選択的又は交互に繰り返すことにより、前記パターンを現出、消去させることを特徴とする画像形成体がある（たとえば、特許文献２参照。）。
【０００７】
また、少なくとも赤外光及び可視光を反射する基材上に赤外吸収インキにより印刷された第１パターンと、前記第１パターンと少なくとも一部が重複して赤外透過インキにより印刷された第２パターンとからなり、前記赤外吸収インキ及び赤外透過インキの少なくとも一方が有色であることを特徴とする印刷を形成し、赤外吸収インキにより印刷された第１パターンによって担う情報とは異なる情報を赤外透過インキにより印刷された第２パターンにより担うことにより狭い領域に情報を多重化して記録することを特徴とする印刷物及び読み取り装置がある（例えば、特許文献３参照。）。
【０００８】
【特許文献１】特許第１３３１１０１号公報
【特許文献２】特許第１３７１０８７号公報
【特許文献３】特開平０３−５４６８５号公報
【発明の開示】
【発明が解決しようとする課題】
【０００９】
しかしながら、特許第１３３１１０１号公報及び特許第１３７１０８７号公報又は特開平０３−５４６８５号公報その他一般に用いられているメタメリズムを利用した偽造防止印刷技術は、この仕組みが分かってしまえば比較的容易に偽造されるおそれがある。
【００１０】
また、メタメリズム色材の一方は耐光性に優れた無機系の着色顔料であり、他方は耐光性に劣る有機染料の組合せである場合が多く、印刷面が光によって短時間に変色するおそれがあり、長期保存中に変色することが問題であった。
【００１１】
また、メタメリズムを利用した偽造防止技術は、３０年近く前の技術であり、分光技術等の発達により容易に偽造がなされるおそれがある。
【課題を解決するための手段】
【００１２】
本発明は、基材上に、赤外線吸収インキ層と、前記赤外線吸収インキ層の表面の少なくとも一部に、赤外線透過特性を有する第１パターンインキ層と第２パターンインキ層からなる２種類のメタメリズムインキ層を隠蔽したことを特徴とする真偽判別印刷物である。
【００１３】
また、本発明は、赤外線吸収インキ層が、前記メタメリズムインキ層と、可視光領域又は赤外領域で分光反射率が干渉しないことを特徴とする真偽判別印刷物である。
【００１４】
また、本発明は、前記メタメリズムインキ層が波長赤外線透過特性を有することを特徴とする真偽判別印刷物である。
【００１５】
また、本発明は、前記赤外線吸収インキ層が有色、半透明又は透明であることを特徴とする真偽判別印刷物である。  
【００１６】
また、本発明は、前記赤外線吸収インキ層の表面に占める赤外線吸収インキ層の面積率が４０％から６０％までであることを特徴とする真偽判別印刷物である。
【発明の効果】
【００１７】
本発明の真偽判別印刷物は、任意の可視光領域において反射率に差があり、また視認できる色相の有無により、カラーコピーやプリンタでの複製に対して偽造防止効果が期待できる。
【００１８】
また、メタメリズム層に赤外線透過特性を持たせ、下層には赤外線吸収特性を設けることによって、肉眼による真偽判別と機械読み取りによる真偽判別を行うことができるため、より高い偽造防止効果を有する。
【発明を実施するための最良の形態】
【００１９】
以下、本発明の実施の形態による真偽判別印刷物について図面を参照して説明する。しかしながら、本発明は以下に述べる実施するための最良の形態に限定されるものではなく、特許請求の範囲の記載における技術的思想の範囲内であれば、その他の色々な実施の形態が含まれる。
【００２０】
図１は、本発明における真偽判別印刷物の概略図である。図２は、図１の真偽判別印刷物の通常光下における見え方を示した平面図である。図３は、図１の真偽判別印刷物の特定波長域における見え方を示した平面図である。図４は、図１の真偽判別印刷物に赤外光を照射した場合における見え方を示した平面図である。図５は、本発明における真偽判別印刷物の各々のインキ層の４００ｎｍ〜１，４００ｎｍにおける分光反射率曲線のグラフの一例である。図６は、本発明における真偽判別印刷物の赤外線吸収インキ層２に赤外線透過特性を有するメタメリックペアインキを隠蔽時の４００ｎｍ〜１，４００ｎｍにおける分光反射率曲線のグラフの一例である。図７は、図１に真偽判別印刷物に通常インキ層を形成した概略図である。図８は、通常光下における図７の真偽判別印刷物の見え方を示した平面図である。図９は、特定波長域における図７の真偽判別印刷物の見え方を示した平面図である。図１０は、図７の真偽判別印刷物Ａ２に赤外光を照射した場合における見え方を示した平面図である。
【００２１】
図１は、基材１上に、例えば花弁の図柄からなるメタメリズムインキ層３を赤外線吸収インキ層に形成した本発明の真偽判別印刷物の一実施例を示す平面図である。
【００２２】
図１の真偽判別印刷物Ａ１は、基材１に、半透明又は透明な赤外線吸収インキ層２と、赤外線吸収インキ層２の少なくとも一部に、赤外線透過特性を有する第１パターンインキ層３ａと第２パターンインキ層３ｂからなる２種類のメタメリズムインキ層３を印刷したものである。
【００２３】
真偽判別印刷物Ａ１は、図２に示すように通常光下では、第１パターンインキ層３ａと第２パターンインキ層３ｂは同色に観察される。図３に示すように、特定波長の領域下では、メタメリズムインキ層３の第１パターンインキ層３ａと第２パターンインキ層３ｂの色相が異なって観察することができる。
【００２４】
図４は、図１の真偽判別印刷物に赤外光を照射した場合における見え方を示した平面図である。
【００２５】
図４に示すように、図１の真偽判別印刷物Ａ１に赤外光を照射した場合には、メタメリズムインキ層３の第１パターンインキ層３ａと第２パターンインキ層３ｂは観察されず、赤外線吸収インキ層２だけを観察することができる。
【００２６】
図５は、本発明における真偽判別印刷物の各々のインキ層の４００ｎｍ〜１，４００ｎｍにおける分光反射率曲線のグラフの一例である。
【００２７】
図５に示すように本発明の真偽判別印刷物は、インキ層２とインキ層３ａの分光反射率は６５０ｎｍ近傍でほぼ等しく、インキ層２とインキ層３ｂの分光反射率は８００ｎｍ近傍でほぼ等しい。
【００２８】
一方、図６に示すように本発明の真偽判別印刷物は、インキ層２にインキ層３ａ又はインキ層３ｂを重ねたインキ層の４００ｎｍ以上６００ｎｍ未満の可視光領域と８００ｎｍ以上の近赤外領域では反射率が同等であり、６００ｎｍ以上８００ｎｍ未満では違う反射率曲線を表出するメタメリズム効果を有するものである。
【００２９】
また、特に近赤外線領域に近い６５０ｎｍ以上７５０ｎｍ未満では、インキ層２にインキ層３ａを重ねたインキ層とインキ層２にインキ層３ｂを重ねたインキ層との反射率は３０％以上の差があり、８００ｎｍ以上では差が１０％未満で、ほぼ同じ反射率を有するものである。
【００３０】
したがって、可視光下の真偽判別印刷物Ａ１のメタメリズムインキ層３と、赤外光を照射して観察できる赤外線吸収インキ層２を表示する二つの表示工程とによって、印刷物の真偽を判別することができる。
【００３１】
図７は、図１の真偽判別印刷物に通常インキ層４を形成した本発明の偽造防止印刷物の一実施例を示す平面図であるが、例えば、図１の花弁の図柄からなるメタメリズムインキ層３に重なることなく別な領域に隣接して、花弁の図柄を赤外線を吸収する第１通常インキ層４ａと赤外線を透過する第２通常インキ層４ｂからなる通常インキ層４を形成したものである。
【００３２】
なお、メタメリズムインキ層３と通常インキ層４は、特定波長の領域下においてバンドパスフィルタを用いて観察する必要があるため、メタメリズムインキ層３と通常インキ層４は１０ｃｍ以下の間隔を設けて隣接することが好ましい。
【００３３】
図７の真偽判別印刷物Ａ２は、基材１に、半透明又は透明な赤外線吸収インキ層２と、赤外線吸収インキ層２の少なくとも一部に、赤外線透過特性を有する第１パターンインキ層３ａと第２パターンインキ層３ｂからなる少なくとも２種類のメタメリズムインキ層３を印刷し、更に赤外吸収インキ層２の一部に赤外線を吸収する第１通常インキ層４ａと赤外線を透過する第２通常インキ層４ｂを印刷したものである。
【００３４】
真偽判別印刷物Ａ２は、図８に示すように通常光下ではメタメリズムインキ層３の第１パターンインキ層３ａと第２パターンインキ層３ｂの色相が同色に観察され、通常インキ層４の第１通常インキ層４ａと第２通常インキ層４ｂの色相が同色に観察することができる。
【００３５】
図７に示す真偽判別印刷物Ａ２を特定波長領域で観察すると、図９に示すようにメタメリズムインキ層３は、第１パターンインキ層３ａと第２パターンインキ層３ｂの色相が異なって観察されるが、通常インキ層４の第１通常インキ層４ａと第２通常インキ層４ｂの色相は同色に観察される。
【００３６】
図１０は、図２の真偽判別印刷物Ａ２に赤外光を照射した場合における見え方を示した平面図である。
【００３７】
図１０に示すように、図７の真偽判別印刷物Ａ２に赤外光を照射した場合には、メタメリズムインキ層３の第１パターンインキ層３ａと第２パターンインキ層３ｂは観察されず、通常インキ層４の赤外線を吸収する第１通常インキ層４ａは観察されるが、赤外線を透過する第２通常インキ層４ｂは観察されず、赤外線吸収インキ層２を観察することができる。
【００３８】
真偽判別印刷物Ａ１及びＡ２の基材１は、特に限定されず、紙、合成紙、プラスチック、木材、ガラス又は樹脂などを使用することができる。
【００３９】
赤外線吸収インキ層２には、スズでドープ（添加）された酸化インジウム（Ｉｎ２Ｏ３）又はカーボンブラック等を含有する赤外吸収インキのみならず、公知の赤外線吸収インキを使用することができる。
【００４０】
赤外線吸収インキ層２の形成は、基材１に公知の顔料、分散剤、溶剤、消泡剤等を混合したインキをオフセット印刷、スクリーン印刷方法等の公知の印刷方法により設けることができる。また、赤外線吸収インキ層２の絵柄などについては、特に限定されない。
【００４１】
メタメリズムインキ層３には、可視光を吸収し、赤外光を透過する物質を使用する。例えば、赤外光を透過する着色インキに通常用いられる赤外線透過性顔料を使用することができる。これらの赤外線透過性顔料は、赤外帯域に吸収がなければよく、通常のシアン、マゼンタ、イエローなどの顔料を使用することができる。
【００４２】
また、メタメリズムインキ層３の形成は、上記赤外透過性顔料と分散剤、溶剤、消泡剤等を混合したインキをオフセット印刷、スクリーン印刷、凹版印刷、グラビア印刷方法等の公知の印刷方法により設けることができる。また、メタメリズムインキ層３の絵柄などについては、特に限定されない。
【００４３】
また、通常インキ層４には、メタメリック性を有してない色材によってインキを構成し、少なくともひとつのインキ層は赤外線を吸収する色材を用いたインキを使用する。例えば、着色インキに通常用いられる着色顔料を使用することができる。これらの着色顔料は、通常のシアン、マゼンタ、イエローなどの顔料を使用することができる。
【００４４】
通常インキ層４の形成は、上記着色顔料と分散剤、溶剤、消泡剤等を混合したインキをオフセット印刷、スクリーン印刷、凹版印刷、グラビア印刷方法等の公知の印刷方法により設けることができる。なお、通常インキ層４は、可視光下において視認可能とする必要があるため、有色であることが好ましい。また、絵柄などについては、特に限定されない。
【００４５】
本発明の真偽判別印刷物の赤外線吸収インキ層２にカーボンブラックと同等な着色色材を用いる場合には、メタメリズムインキ層３で隠蔽したときに可視光で赤外線吸収インキ層２が視認できないように、赤外線吸収インキに対してカーボンブラックの配合量を０.５〜２％程度にし、かつ、３０〜６０％の面積率にすることが望ましい。
〔実施例〕
【００４６】
以下、上記の本発明の真偽判別印刷物について具体的な実施例を挙げ、詳細に説明する。
【００４７】
（実施例１）
図１の基材１に赤外線吸収性インキと、メタメリズムインキ層３を第一パターンインキ層と第二パターンインキ層の２種類の赤外線透過性インキを使用した真偽判別印刷物を例にして説明する。赤外線吸収インキはＩＴＯ（スズでドープ（添加）された酸化インジウム（Ｉｎ２Ｏ３））を含有するオフセットインキである。  
【００４８】
メタメリズムインキ層３の第一パターンインキ層３ａは、茶色の赤外線透過オフセットインキであり、可視光下では茶色で視認されるが、波長７８０ｎｍ以上の赤外光を透過する材料を配合した。第二パターンインキ層３bは、茶色の赤外透過性オフセットインキであり、可視光下では茶色に視認されるが波長７８０ｎｍ以上の赤外光を透過する材料を配合した。
【００４９】
赤外線吸収性オフセットインキを以下のとおり配合した。
［赤外線吸収性オフセットインキの組成］
ＩＴＯ          ２０〜３０  重量部
体質顔料        １０〜１５  重量部
ワニス          ５５〜７０  重量部
助剤            １〜１０    重量部
【００５０】
第一パターンインキ層３ａの赤色メタメリズムインキを以下のとおり配合した。
［茶色メタメリズムインキの組成］
コバルト系顔料  ５〜１０      重量部
赤系顔料（１）  １〜５        重量部
赤系顔料（２）  ０.５〜１      重量部
黄色系顔料      ２０〜３０    重量部
ワニス          ５５〜６５    重量部
助  剤          １〜５        重量部
【００５１】
第二パターンインキ層３bの茶色メタメリズムインキを以下のとおり配合した。
［緑色メタメリズムインキの組成］
フタロシアニングリーン系顔料      ２〜５    重量部
赤系顔料（１）  ０.５〜１    重量部
赤系顔料（２）  ５〜１０      重量部
黄色系顔料      ２０〜３０    重量部
ワニス          ５５〜６５    重量部
助剤            １〜５        重量部  
【００５２】
実施例１の真偽判別印刷物Ａ１は、シート状の基材上に上記配合の赤外線吸収性オフセットインキを用いて赤外線吸収インキ層２をオフセット印刷法により印刷を施し、次に上記配合の茶色の赤外線透過性オフセットインキと緑色の赤外線透過性オフセットインキを用いてオフセット印刷法により赤外線吸収インキ層２の上にメタメリズムインキ層３を重ねて印刷した。
【００５３】
以上のように、特定波長領域のバンドパスフィルタを通してメタメリズム性が観察できた。また、赤外線光照射時には下部インキ層である赤外線吸収インキを視認することによって印刷物の真偽の判別を行うことができた。
（実施例２）
次に、図７の赤外線吸収インキ層２にメタメリズムインキ層３と通常の印刷インキ層４を隠蔽した真偽判別印刷物Ａ２について説明する。通常の印刷インキ層４は、赤外線を吸収する緑色オフセットインキと赤外線を透過する緑色オフセットインキの２種類のインキを使用し、メタメリズムインキ及び赤外線吸収インキを以下の材料を配合したオフセットインキとした。なお、赤外線吸収インキ層の印刷面積率は、４０％として真偽判別印刷物を作製した。
【００５４】
赤外線吸収性オフセットインキを以下のとおり配合した。
［赤外線吸収性オフセットインキの組成］
カーボンブラック  ０．５〜２      重量部
体質顔料      ２５〜３５  重量部
ワニス        ５５〜７０  重量部
助  剤        １〜１０    重量部
【００５５】
第一パターンインキ層３ａの赤色メタメリズムインキを以下のとおり配合した。
［茶色メタメリズムインキの組成］
コバルト系顔料  ５〜１０    重量部
赤系顔料（１）  １〜５      重量部
赤系顔料（２）  0.5〜１      重量部
黄色系顔料      ２０〜３０  重量部
ワニス          ５５〜６５  重量部
助  剤          １〜５      重量部
【００５６】
第二パターンインキ層３ｂの茶色メタメリズムインキを以下のとおり配合した。
［茶色メタメリズムインキの組成］
フタロシアニングリーン系顔料    ２〜５    重量部
赤系顔料（１）                  0.5〜１    重量部
赤系顔料（２）                  ５〜１０    重量部
黄色系顔料      ２０〜３０      重量部
ワニス          ５５〜６５      重量部
助  剤          １〜５          重量部
【００５７】
通常インキの赤外線吸収タイプの緑色インキを以下のとおり配合した。
［緑色オフセットインキの組成］
青系顔料          ５〜１０        重量部
黄色系顔料        ２０〜３０      重量部
カーボンブラック  ０．５〜２        重量部
ワニス            ５５〜６５      重量部
助  剤            １〜５          重量部
【００５８】
通常インキの赤外線透過タイプの緑色インキを以下のとおり配合した。
［緑色オフセットインキの組成］
青系顔料          ３〜１０        重量部
黄色系顔料        ２０〜３０      重量部
ワニス            ５５〜６５      重量部
助  剤            １〜５          重量部
【００５９】
実施例２の真偽判別印刷物Ａ２は、実施例１の真偽判別印刷物Ａ１の赤外線吸収インキ層２の上に上記配合の赤外線吸収タイプの緑色オフセットインキと赤外線透過タイプの緑色オフセットインキを用いてオフセット印刷法により実施例１のメタメリズムインキ層３に隣接して印刷した。
【００６０】
以上のように、実施例１と同様にメタメリズムインキ層３では、特定波長領域のバンドパスフィルタを通してメタメリズム性が観察できた。また、赤外線照射時には下部インキ層である赤外線吸収インキを視認することができ、通常インキ層４では、特定波長領域のバンドパスフィルタを通して観察してもメタメリズム性は確認できないが、赤外線照射時には、赤外透過タイプのインキ層では下部インキ層である赤外線吸収インキを視認することができ、赤外線吸収タイプのインキ層では、下部インキ層である赤外線吸収インキを視認することができず、赤外線吸収タイプである通常インキ層４が視認されることによって印刷物の高度な真偽の判別を行うことができた。
【図面の簡単な説明】
【００６１】
【図１】基材上に赤外線吸収インキ層とメタメリズムインキ層を形成した真偽判別印刷物Ａ１の平面図である。
【図２】図1の真偽判別印刷物Ａ１の可視光下における平面図である。
【図３】図1の真偽判別印刷物Ａ１の特定波長領域下における平面図である。
【図４】図1の真偽判別印刷物Ａ１に赤外光照射時における平面図である。
【図５】本発明における真偽判別印刷物の各インキ層の４００ｎｍ〜１，４００ｎｍにおける分光反射率曲線のグラフの一例である。
【図６】本発明における真偽判別印刷物の４００ｎｍ〜１，４００ｎｍにおける分光反射率曲線のグラフの一例である。
【図７】基材上に赤外線吸収インキ層とメタメリズムインキ層と隣接した別領域に赤外線吸収インキ層と通常インキの赤外線吸収インキ層及び赤外線透過インキ層を形成した真偽判別印刷物Ａ２の平面図である。
【図８】図７の真偽判別印刷物Ａ２の可視光下における平面図である。
【図９】図５の真偽判別印刷物Ａ２の特定波長領域下における平面図である。
【図１０】図５の真偽判別印刷物Ａ２の赤外光照射時における平面図である。
【符号の説明】
【００６２】
Ａ１    真偽判別印刷物
Ａ２    真偽判別印刷物
１    基材
２    赤外線吸収インキ層
３    メタメリズムインキ層
３ａ    第１パターンインキ層
３ｂ    第２パターンインキ層
４    通常インキ層
４ａ    第１通常インキ層
４ｂ    第２通常インキ層
【図１】
0004649613.tif 000002
【図２】
0004649613.tif 000003
【図３】
0004649613.tif 000004
【図４】
0004649613.tif 000005
【図５】
0004649613.tif 000006
【図６】
0004649613.tif 000007
【図７】
0004649613.tif 000008
【図８】
0004649613.tif 000009
【図９】
0004649613.tif 000010
【図１０】
0004649613.tif 000011